(57)【要約】【課題】フィルタ上のごみを自動的に清掃するフィルタ清掃機能を有し、ファン翼へのホコリの堆積を防いだ空気調和機を提供すること。【解決手段】熱交換器と前記吸入グリルとの間にフィルタを設け、前記フィルタに付着するホコリを除去するホコリ除去手段と、除去したホコリを吸引・排気する吸引排気装置を配した空気調和機であって、前記吸引排気装置はモ−タと渦流ファンと前記渦流ファンを収納する略Ｕ字形のケ−シングとから形成し、前記ケ−シングの吸い込み口を吸い込みダクトを通じて前記ホコリ除去手段とを繋ぎ、前記ケ−シングの吹き出し口を室外へ排気する排気ダクトに連通させてホコリを排出する。【選択図】図４
2008089273.tif 000002
【特許請求の範囲】
【請求項１】
少なくとも熱交換器と吸入グリルを設けた空気調和機の室内機内部において、前記熱交換器と前記吸入グリルとの間にフィルタを設け、前記フィルタに付着するホコリを除去するホコリ除去手段と、除去したホコリを吸引・排気する吸引排気装置を配し、前記吸引排気装置はモ−タと渦流ファンと前記渦流ファンを収納する略Ｕ字形のケ−シングとから形成し、前記ケ−シングの吸い込み口と前記ホコリ除去手段とを吸い込みダクトで繋ぎ、前記ケ−シングの吹き出し口を室外へ排気する排気ダクトに連通させてホコリを排出することを特徴とする空気調和機。
【請求項２】
ホコリ除去手段は、フィルタに付着するホコリを吸引し、移動可能な吸い込みノズルを前記フィルタの風上側に配し、さらに前記吸い込みノズルからのホコリを吸引・排気する前記吸引排気装置を配したことを特徴とする請求項１記載の空気調和機。
【請求項３】
ホコリ除去手段より下流でかつ、吸引排気装置の渦流ファンより上流部に、室内空気を吸引する開口部および前記開口部を開閉するダンパ機構を設けるとともに、ホコリの吸引排出時は前記開口部を閉じ、排気および換気時は前記開口部を開いて前記開口部、前記渦流ファン、排気ダクトの順に空気を流通させて室内の空気を室外に排気することにより換気することを特徴とする請求項１記載の空気調和機。
【請求項４】
吸引排気装置は、空気を流入させる吸入口と空気を流出させる排出口を備えた略Ｕ字形のケーシングと、流入した空気を搬送昇圧する複数枚の羽根を有する渦流ファンと、前記吸入口と排出口を隔離するストリッパ部とからなることを特徴とする請求項１〜３記載の空気調和機。
【請求項５】
吸引排気装置は、空気を流入させる吸入口と空気を流出させる排出口を備えた略Ｕ字形のケーシングと、流入した空気を搬送昇圧する複数枚の羽根を有する渦流ファンと、前記過流ファンの外周部には複数個の凹または凸とを有し、さらに前記吸入口と排出口を隔離するストリッパ部を有することを特徴とする請求項１〜３記載の空気調和機。
【請求項６】
過流ファンは、正転と逆転との両方が動作可能としたことを特徴とする請求項１〜５記載の空気調和機。
【発明の詳細な説明】
【技術分野】
【０００１】
本発明は、空気調和機に係わり、より詳細には、フィルタ上のホコリを自動的に清掃するフィルタ清掃機能に関する。
【背景技術】
【０００２】
従来のこの種の技術としては、図５のように、移動可能な吸い込みノズルをフィルタの風上側に配し、さらに前記吸い込みノズルからのホコリを吸引・排気する吸引排気装置を配し、この吸引排気装置はモ−タを内蔵したシロッコファンと前記シロッコファンを囲むケ−シングとから形成し、前記ケ−シングの吸い込み口を前記吸い込みノズルに連通する吸い込みダクトと繋ぎ、前記ケ−シングの吹き出し口を室外へ排気する排気ダクトに連通させてホコリを排出できるようにしている（例えば、特許文献１参照）。
【特許文献１】特開２００４−３５３９６６号公報
【発明の開示】
【発明が解決しようとする課題】
【０００３】
しかしながら、前記従来の構成は、以下のような課題を有していた。
【０００４】
上記従来構成では、フィルタから除去されたホコリは、ファンに直接吸引される。たとえば、掃除機においては、ファンの直前に各種のホコリ除去装置があり、たまったホコリをユーザーが捨てるのであるが、本装置はフィルタの自動清掃を目的としたものであるため、この種のホコリ除去装置を設ければ、本来の目的を果たせないことになる。
ファンに直接ホコリが流入すれば、ファンの翼部前縁等にホコリが堆積し、性能を低下させる可能性があり、最終的には翼間が目詰まりして、ホコリの除去ができなくなる恐れがある。また、翼枚数を減らすことや、翼形状をホコリが堆積しにくい形状に設計することも、ファンの性能低下につながる。
【０００５】
本発明は、前記従来の課題を解決するもので、フィルタ上のホコリを自動的に清掃するフィルタ清掃機能を有し、その吸引排気装置のファン翼へのホコリの堆積を防いだ空気調和機を提供することを目的とする。
【課題を解決するための手段】
【０００６】
前記従来の課題を解決するために、少なくとも熱交換器と吸入グリルを設けた空気調和機の室内機内部において、前記熱交換器と前記吸入グリルとの間にフィルタを設け、前記フィルタに付着するホコリを除去するホコリ除去手段と、除去したホコリを吸引・排気する吸引排気装置を配した空気調和機であって、前記吸引排気装置はモ−タと渦流ファンと前記渦流ファンを収納する略Ｕ字形のケ−シングとから形成し、前記ケ−シングの吸入口を吸い込みダクトを通じて前記ホコリ除去手段と繋ぎ、前記ケ−シングの排出口を室外へ排気する排気ダクトに連通させてホコリを排出できるように構成したものである。
【０００７】
渦流ファンは、一般のファンのようにファン内部翼間を流れが通過することが少なく、ファンの回転にともなうようにファン周辺部を流れが通過するのみで、流れとファンの相対速度も小さいため、ファンへのホコリ堆積のないフィルタ清掃装置が実現できるというものである。
【発明の効果】
【０００８】
本発明は、空気調和機に係わり、フィルタ上のごみを自動的に清掃するフィルタ清掃機能に関し、吸引排気装置のファン翼へのホコリの堆積を防いだ空気調和機を提供すること
ができる。
【発明を実施するための最良の形態】
【０００９】
第１の発明は、少なくとも熱交換器と吸入グリルを設けた空気調和機の室内機内部において、前記熱交換器と前記吸入グリルとの間にフィルタを設け、前記フィルタに付着するホコリを吸引し、移動可能な吸い込みノズルを前記フィルタの風上側に配し、さらに前記吸い込みノズルからのホコリを吸引・排気する前記吸引排気装置を配した空気調和機であって、前記吸引排気装置はモ−タと渦流ファンと前記渦流ファンを収納する略Ｕ字形のケ−シングと、前記吸入口と排出口を隔離するストリッパ部から形成し、前記渦流ファンより上流部に、室内空気を吸引する開口部およびその開口部を開閉できるダンパ機構を設け、
前記過流ファンの外周部には複数個の凹部または凸部を施すことで、ケーシングとの隙間へのホコリの入り込みを防止し、さらに吸引排気装置のファン翼などへのホコリの堆積も防いだ排気換気可能なフィルタ清掃装置が実現できるというものである。
【００１０】
また、第２の発明は、過流ファンを正転と逆転との両方が動作可能としたことより、ケーシングとの隙間に入り込んだホコリを、前記過流ファンを逆転させて運転することにより隙間に入り込んだホコリを追い出すことが可能となり、ホコリが内部に堆積することのない排気換気可能なフィルタ清掃装置が実現できるというものである。
【００１１】
（実施の形態）
以下、図１から図４を用い、第１の発明について説明する。
【００１２】
図１は、本発明の実施の形態における空気調和機の断面図、図２は同斜視図、図３は吸引排気装置の斜視図、図４は渦流ファンの詳細説明図である。
【００１３】
空気調和機の室内機１の内部に熱交換器２と本体送風ファン３を有し、室内機１のフィルタ４に付着するホコリを吸引し、フィルタ４の左右に動く吸い込みノズル５をフィルタ４の風上側に配し、さらにホコリを吸引・排気する吸引排気装置６を室内機１の側面に配置している。
【００１４】
また、吸い込みノズル５と吸引排気装置６は吸い込みダクト７で繋がれ、吸引排気装置６から屋外につながる排気ダクト８がある。
吸引排気装置６は、空気を流入させる吸入口９と空気を流出させる排出口１０を備えた略Ｕ字形のケーシング１１と、流入した空気を搬送昇圧する複数枚の羽根を有する渦流ファン１２と、前記吸入口９と排出口１０を隔離するストリッパ部１３から形成されており、過流ファン１２の外周部には数箇所の凹部１８が設けられている。
【００１５】
また、吸入口９が吸い込みダクト７に接続され、排出口１０が排気ダクト８に接続される。
【００１６】
次に、動作について説明する。
【００１７】
吸引排気装置６が運転すると、フィルタ４上のホコリは、フィルタ４の上流側にある吸い込みノズル５のフィルタ４側に面して開いた吸引口５１を通って、吸い込みノズル５内に吸い込まれ、以後、吸い込みダクト７を通って、吸入口９から吸引排気装置６内に吸い込まれる。
【００１８】
その後、ホコリは吸引排気装置６内で、渦流ファン１２の回転で昇圧され、排出口１０から排気ダクト８を通って屋外に排出される。
吸い込みノズル５はフィルタ４に沿って、左右に動き、フィルタ４の全面を清掃することができる。
【００１９】
ダンパ機構１６を設けた開口部１７は、上記のホコリ吸引排出時は閉じており、上記のようなホコリの流れ経路を形成する。換気時には、ダンパ機構１６により、開口部１７は開き、ここから、大量の空気を流入することにより、換気風量を増やすことができる。
【００２０】
次に渦流ファン１２の動作について説明する。
【００２１】
すなわち、図４において、前記吸入口９から流入した空気は、前記ケーシング１１内の流路１５に沿って流れる間に、複数枚の羽根１４を有する渦流ファン１２の作用で徐々に昇圧され、前記排出口１０から排出される。
【００２２】
このような渦流ファン１２において、ホコリが図のように吸入口９から流入した場合、空気より重いホコリは遠心力により、流路１５の外側に沿って流れ、一部のホコリが一時的に流れの乱れによって、渦流ファン１２内部に侵入しても、短時間で渦流ファン１２外部に排出されるため、羽根１４へのホコリの付着が起きにくい効果がある。
【００２３】
また、過流ファン１２とストッパー部１３との隙間には微細なホコリが入り込み易いが、過流ファン１２の外周部に設けた凹部１８により入り込んだホコリも少し堆積すると凹部に引っ掛かり隙間から排出され排出口１０から外に排出されるため、過流ファン１２内部へのホコリの堆積を抑える効果がある。
【００２４】
なお、凹部の形状は□や▽やＵ字形状などで、凸部の形状も□や△、半丸形状など形状は様々で、大きさや深さ（高さ）についても特に特定はされない。
【００２５】
（実施の形態２）
次に、図５を用い第２の発明について説明する。
【００２６】
図５は本発明の第２の実施例を示す過流ファン１２の説明図である。
吸引排気装置６の送風手段としての過流ファン１２は空気調和機室内機１からの制御信号（図示せず）により、通常は図４の矢印で示す方向（正転方向）に回転しホコリを排気するが、例えば、ホコリの排出制御の最後に数十秒間のみ図５の矢印が示す方向（逆転方向）に回転する制御にし、ケーシング１１やストッパー部１３と過流ファン１２の隙間に入り込んだホコリを掻き出し、次回の吸引排気装置６の動作時に排出口１０より掻き出したホコリを排出する。逆転方向の回転はホコリの逆流を防止するため、例えば回転数を低減するとか、排出口１０をダンパなど（図示せず）で閉鎖するなどの手段を用いるとよい。
【００２７】
このような過流ファン１２を正転と逆転との両方の動作が可能とすることにより、過流ファン１２内へのホコリの堆積を防止する方法として効果がある
【産業上の利用可能性】
【００２８】
以上のように、本発明にかかる空気調和機は、少なくとも熱交換器と吸入グリルを設けた空気調和機の室内機内部において、前記熱交換器と前記吸入グリルとの間にフィルタを設け、前記フィルタに付着するホコリを吸引し、移動可能な吸い込みノズルを前記フィルタの風上側に配し、さらに前記吸い込みノズルからのホコリを吸引・排気する前記吸引排気装置を配した空気調和機であって、前記吸引排気装置はモ−タと渦流ファンと前記渦流ファンを収納する略Ｕ字形のケ−シングとから形成し、前記ケーシングの吸入口を吸い込みダクトを通じて前記ホコリ除去手段と繋ぎ、前記ケ−シングの排出口を室外へ排気する排気ダクトに連通させてホコリを排出できるように構成したことで、渦流ファンは、一般
のファンのようにファン内部翼間を流れが通過することが少なく、ファンの回転にともなうようにファン周辺部を流れが通過するため、ファンの外周部に凹部を設けることによりケーシング部との隙間に入り込んだホコリを掻き出しながら排出でき、さらに、流れとファンの相対速度も小さいため、ファンへのホコリ堆積のないフィルタ清掃装置が実現できるというものである。
【００２９】
また、過流ファンを正転と逆転との両方の回転を可能とすることにより、ホコリ排出時に隙間に入り込んだホコリをファンを逆転させることにより排出することができ、空気調和機の室内機以外に、送風機とフィルタを有する装置一般における、フィルタ清掃装置にも広く適用できる。
【図面の簡単な説明】
【００３０】
【図１】本発明の第１の実施形態における空気調和機の断面図
【図２】本発明の第１の実施形態における空気調和機の斜視図
【図３】本発明の第１の実施形態における吸引排気装置の斜視図
【図４】本発明の第１の実施形態における渦流ファンの流れ説明図
【図５】本発明の第２の実施形態における渦流ファンの流れ説明図
【図６】従来の吸引排気装置の平面図
【符号の説明】
【００３１】
１  空気調和機室内機
２  熱交換器
３  本体送風ファン
４  フィルタ
５  吸い込みノズル
５１  吸引口
６  吸引排気装置
７  吸い込みダクト
８  排気ダクト
９  吸入口
１０  排出口
１１  ケーシング
１２  渦流ファン
１３  ストリッパ部
１４  羽根
１５  流路
１６  ダンパ機構
１７  開口部
１８  凹部
１１４  シロッコファン
１１５  ケーシング
【図１】
2008089273.tif 000003
【図２】
2008089273.tif 000004
【図３】
2008089273.tif 000005
【図４】
2008089273.tif 000006
【図５】
2008089273.tif 000007
【図６】
2008089273.tif 000008